(57)【要約】手乾燥装置は、手乾燥室（３）と、ノズル（５）と、高圧送風機（４）と、手検知部（６）とを備え、手検知部（６）はセンサー信号発信部（６ｃ）とセンサー信号受信部（６ｄ）とから構成される。センサー信号発信部（６ｃ）とセンサー信号受信部（６ｄ）とはノズル（５）の近傍に互いに対向して設けられ、センサー信号発信部（６ｃ）またはセンサー信号受信部（６ｄ）を備えたセンサー基板（６ｂ）には手乾燥室（３）の底部（３ｃ）を照らす照明部（７）を設けている。
2013187004.tif 000002
【特許請求の範囲】
【請求項１】
外部に向かって開口した手挿入口から手を抜き差しし、対向する内壁面を有する手乾燥室と、
前記内壁面に設けた前記手乾燥室の内部に向けて高圧空気を送出するノズルと、
前記ノズルへ前記高圧空気を送出する高圧送風機と、
前記ノズルの近傍に前記手を挿入したことを検知する手検知部とを備えた手乾燥装置であって、
前記手検知部はセンサー信号発信部とセンサー信号受信部とから構成され、
前記センサー信号発信部と前記センサー信号受信部とは前記ノズルの近傍に互いに対向して設けられ、
前記センサー信号発信部または前記センサー信号受信部を備えたセンサー基板には前記手乾燥室の底部を照らす照明部を設けたことを特徴とする手乾燥装置。
【請求項２】
前記センサー基板は、前記ノズルより前記手挿入口側に配置されたことを特徴とする請求項１記載の手乾燥装置。
【請求項３】
前記センサー信号発信部の発光波長特性と前記照明部の発光波長特性とが異なる帯域としたことを特徴とする請求項１記載の手乾燥装置。
【請求項４】
前記照明部は、前記センサー基板の上に台座となるスペーサーを設けて取り付けられたことを特徴とする請求項１記載の手乾燥装置。
【請求項５】
反射板が前記照明部の照射線上に取り付けられたことを特徴とする請求項１記載の手乾燥装置。
【請求項６】
前記センサー信号発信部または前記センサー信号受信部のセンサー素子と、前記照明部の発光素子とが、水平方向の同一線上に配置されたことを特徴とする請求項１記載の手乾燥装置。
【請求項７】
前記センサー信号発信部または前記センサー信号受信部は複数の前記センサー素子を有し、前記照明部は複数の発光素子を有し、前記センサー素子と前記発光素子とが交互に配置されたことを特徴とする請求項６記載の手乾燥装置。
【発明の詳細な説明】
【技術分野】
【０００１】
本発明は、手乾燥装置に関する。
【背景技術】
【０００２】
手乾燥装置は、水洗い等により濡れた手を乾燥させるために洗面所、トイレ、またはキッチン等において使用される。従来の手乾燥装置は、手を乾燥させる空間内の互いに対向した内壁面に、手挿入を検知するための手段として複数の受発光素子が取り付けられている。そして、受光素子群の素子間に照明部が設けられ、対向する内壁面が照明により照らされている。（例えば、特許文献１参照）。【０００３】
以下、その従来例について従来の手乾燥装置を示す側面断面図である図９を参照しながら説明する。従来の手乾燥装置１０９は、手乾燥室１０３と、高圧空気流を発生する高圧送風機１０４とを備えている。手乾燥室１０３へは、上方の外部に向かって開口した手挿入口１０１から手１０２が抜き差しされる。手挿入口１０１近傍には、高圧送風機１０４より発生した高圧空気流を手乾燥室１０３内に向けて送出するノズル１０５が備えられている。手１０２の挿入状態を検出する手段として、受光および発光素子群１０６のいずれか一方が手挿入口１０１、手乾燥室１０３の底側の二箇所に設置され、他方の素子群はどちらか一箇所に設置されている。そのため手１０２の検知範囲が広くなり、また複数の照明部により手乾燥室１０３の底部まで明るく照らされる。【０００４】
手乾燥室１０３に手１０２が挿入されると、受光および発光素子群１０６により手１０２が検出され、高圧送風機１０４が運転される。高圧送風機１０４が運転されると、吸込口１０７より吸引した空気１０８が高圧送風機１０４を通過して、高圧空気流となりノズル１０５より手１０２に向って送出される。ノズル１０５より手１０２に向って送出された高圧空気流により手洗い後の濡れた手１０２の水分が乾燥される。【０００５】
このような従来の手乾燥装置１０９は、手挿入口１０１近傍に設置した受光および発光素子群１０６を有する基板が対向する内壁面に向いている。受光および発光素子群１０６を有する基板に照明部が設置されても、手１０２の挿入先である手乾燥室１０３の底部が直接照らされない。そのため、手乾燥室１０３の底部の近傍に照明部が設けられていた。しかし手乾燥室１０３の底部に照明部が設置されると、ノズル１０５上部などに影ができるため、手１０２を入れづらくなるという課題があった。
【先行技術文献】
【特許文献】
【０００６】
【特許文献１】特開２００１−１２８８８５号公報
【発明の概要】
【０００７】
本発明の手乾燥装置は、外部に向かって開口した手挿入口から手を抜き差しし、対向する内壁面を有する手乾燥室と、その内壁面に設けた手乾燥室の内部に向けて高圧空気を送出するノズルと、ノズルへ高圧空気を送出する高圧送風機と、ノズルの近傍に手を挿入したことを検知する手検知部とを備えている。また手検知部はセンサー信号発信部と、センサー信号受信部とから構成されている。センサー信号発信部とセンサー信号受信部とは、ノズルの近傍に互いに対向して設けられている。そしてセンサー信号発信部またはセンサー信号受信部を備えたセンサー基板には、手乾燥室の底部を照らす照明部が設けられている。
【０００８】
このような手乾燥装置は、照明部がノズルの近傍に設けられているためノズルの近傍が明るく、手を入れづらくなる事もない。
【図面の簡単な説明】
【０００９】
【図１】図１は、本発明の実施の形態の手乾燥装置の側面断面図である。
【図２】図２は、同手乾燥装置の使用者から見た手乾燥室内を示す斜視図である。
【図３】図３は、同手乾燥装置の各素子の照射方向を示す側面図である。
【図４】図４は、同手乾燥装置のスペーサーによる発光素子の取り付け方法を示す側面図である。
【図５】図５は、同手乾燥装置の反射板による発光素子の取り付け方法を示す側面図である。
【図６】図６は、同手乾燥装置のセンサー素子の検知波長と発光素子の発生波長とを示すグラフである。
【図７】図７は、同手乾燥装置のセンサー素子と発光素子との水平配置を示す正面図である。
【図８】図８は、同手乾燥装置のセンサー素子と発光素子との交互配置を示す正面図である。
【図９】図９は、従来の手乾燥装置を示す側面断面図である。
【発明を実施するための形態】
【００１０】
以下、本発明の実施の形態について図面を参照しながら説明する。
【００１１】
（実施の形態）
図１は、本発明の実施の形態の手乾燥装置の側面断面図である。図１に示すように本実施の形態の手乾燥装置は手乾燥室３と、高圧空気２１を発生する高圧送風機４と、ノズル５と、手検知部６とを備えている。手乾燥室３は、手乾燥装置の上部に位置する手挿入口１を備えている。また手２が抜き差しされる手挿入口１は、手乾燥装置の上方の外部２０に向かって開口している。高圧送風機４は、ノズル５へ高圧空気２１を送出する。
【００１２】
図２は本発明の実施の形態の手乾燥装置の使用者から見た手乾燥室内を示す斜視図であり、手乾燥室３内部を手挿入口１側から見た図である。図２に示すように手挿入口１近傍には、図１に示す高圧送風機４より発生した高圧空気２１を手乾燥室３の内部に向けて送出するノズル５が備えられている。またノズル５の近傍には、図１に示す使用者の手２の挿入状態を検出する手検知部６が備えられている。手検知部６は、ノズル５の上側に設けられている。ノズル５は、使用者側と取付壁面側とが対向する内壁面３ａ、３ｂに、その吹出し方向が向かい合わされて設けられている。すなわち手乾燥室３は、対向する内壁面３ａ、３ｂを備えている。
【００１３】
図３は、本発明の実施の形態の手乾燥装置の各素子の照射方向を示す側面図である。手検知部６には、赤外線遮断式センサーなどが用いられる。この赤外線遮断式センサーは、図３に示すように対となるセンサー信号受信部６ｄとセンサー信号発信部６ｃとから構成されている。センサー基板６ｂには、センサー信号の発信（センサー信号発信部６ｃ）、または受信（センサー信号受信部６ｄ）を行うセンサー素子６ａが搭載されている。そしてセンサー信号受信部６ｄとセンサー信号発信部６ｃとは、ノズル５の近傍に互いに対向して配置されている。またセンサー基板６ｂには、図１に示す手乾燥室３の底部３ｃを照らす照明部７が設けられている。さらに図１に示すようにセンサー基板６ｂは、ノズル５より手挿入口１側に配置されている。そのため、手乾燥室３の底部３ｃ以外のノズル５も照らされる。
【００１４】
本実施の形態では、図３に示すようにセンサー信号受信部６ｄ側のセンサー素子６ａを載せたセンサー基板６ｂに、手乾燥室３内の照明に用いる照明部７が設けられている。照明部７は、高輝度ＬＥＤなどの発光素子７ａが用いられるのが望ましい。
【００１５】
図３に示すセンサー基板６ｂは、表面に回路パターンがエッチングされ、センサー素子６ａの取り付け穴が開けられたフラットな形状である。センサー素子６ａは回路パターンとは逆の面から差し込まれて、ハンダ付けによって接点と回路パターン部とが固定される。
【００１６】
また図３に示すようにセンサー基板６ｂに取り付けられた照明部７は、照射方向が図１に示す手乾燥室３の底部３ｃへ向かうように発光素子７ａ（ＬＥＤ素子）の足部分が曲げられている。
【００１７】
センサー素子６ａおよび発光素子７ａ等の電子部品は、水等により充電部が濡れるのを避けるため、手乾燥室３の空間とセンサー基板６ｂが固定されている空間との間が樹脂性の壁面によって隔てられている。
【００１８】
上記構成による手乾燥装置の効果、作用を説明する。
【００１９】
図１に示すように手洗い後の濡れた手２が手乾燥室３に挿入されると、手検知部６により手２が検出され、高圧送風機４が運転される。高圧送風機４が運転されると、吸込口１０より吸引した吸込空気がフィルター１１、吸込風路１２を介して手乾燥装置の内部に流入する。そして吸込空気は、高圧送風機４によって昇圧されて高圧空気２１となり、ノズル５より手２に向って送出される。ノズル５より手２に向かって送出された高圧空気２１は、手洗い後の濡れた手２を乾燥させる。手乾燥室３から手２が抜き出され、手検知部６が手２を検出しなくなると高圧送風機４の運転が止まる。
【００２０】
また図３に示すセンサー基板６ｂ上の照明部７は、照射方向が下方であるので、図１に示す手乾燥室３の底部３ｃを照らす。照明部７の点灯は、使用者が手乾燥装置に近づいたことを検知してでもよいし、洗面所への使用者の入室を検知してでもよい。あるいは、手乾燥装置の設置と共に常時点灯してもよい。このように図１に示す照明部７は、手乾燥室３の上部（手挿入口１付近）から下部を照らすことによって、影になりやすい手乾燥室３の底部３ｃが使用者の視点方向から照らされる。また手乾燥装置は、照明部７がノズル５の近傍に設けられているため、ノズル５の近傍が明るく、手２を入れづらくなる事もない。
【００２１】
図１に示す手乾燥装置では、ノズル５よりも手挿入口１側に設けたセンサー基板６ｂの一つに照明部７が設けられている。そして照明部７の照射が手乾燥室３の底部３ｃに向いているため、手乾燥室３の内部が明るく照らされる。このようにして、使用者が暗い手乾燥室３の中へ手２を入れる不安感が除かれる。
【００２２】
次に、照明部７の照射方向が手乾燥室３の底部３ｃとなる別の手段について説明する。図４は、本発明の実施の形態の手乾燥装置のスペーサーによる発光素子の取り付け方法を示す側面図である。
【００２３】
図４に示すようにセンサー基板６ｂ上に、台座となるスペーサー１３が設けられている。スペーサー１３は、その座面が手乾燥室３の底部３ｃと正対するようにセンサー基板６ｂ面と角度がつけられている。そして照明部７の発光素子７ａは、この座面に照射方向がほぼ直交するように据え付けられる。このような構成にすることによって、照明部７の取り付け時の製造バラつき、および組立作業時に照明部７に不意の接触を起こして角度が変わることがない。そのため照明部７の固定角度が、安定する。そして手乾燥室３の底部３ｃが、狙い通りの角度により確実に明るく照らされる。
【００２４】
図５は、本発明の実施の形態の手乾燥装置の反射板による発光素子の取り付け方法を示す側面図である。図５に示すようにセンサー基板６ｂに設けられた照明部７の照射線７ｂ上に反射板１４が取り付けられて照明が反射され、手乾燥室３の底部３ｃが照らされても良い。反射板１４により、発光素子７ａの位置から直接照射できない手乾燥室３の底部３ｃも反射させながら照らすことができる。そのため、手乾燥室３の底部３ｃの広い範囲が明るく照らされる。
【００２５】
また図５に示すように手乾燥室３のセンサー基板６ｂが配置された位置には、センサー信号を通す窓部８が設けられている。窓部８は、手乾燥装置の曲面形状を維持して手２の挿入を妨げず、デザイン性も考慮された形状となっている。窓部８は、超音波溶着またはインサート成型により、手乾燥室３に段差無く取り付けられている。照明部７が取り付けられているセンサー基板６ｂ側の窓部８は、光を通すＰＭＭＡ（Poly Methyl Methacrylate）の透明樹脂が望ましい。そして、窓部８はセンサー信号と照明部７の光との両方が通過する必要がある。
【００２６】
このような手乾燥装置は、洗面所の壁面９などに設置されることが多い。そのため、手乾燥装置の正面上方より蛍光灯などのセンサー信号の妨害となる外乱光が、窓部８に入射する可能性が高い。そのため手乾燥室３の使用者側の内壁面３ａにセンサー信号の受信を行うセンサー素子６ａが設けられて、少しでも窓部８に外乱光が入らないようにするのが望ましい。そのため窓部８は、外乱光の波長がカットされるフィルター効果を持つ樹脂などが望ましい。
【００２７】
図６は、本発明の実施の形態の手乾燥装置のセンサー素子の検知波長と発光素子の発生波長とを示すグラフである。図６に示すように手検知部６であるセンサー素子６ａ（センサー信号発信部６ｃ）の発光波長特性と、照明部７である発光素子７ａの発光波長特性とが異なる帯域とする。ここで手検知部６はセンサー信号発信部６ｃの発光波長と、センサー信号受信部６ｄの検知波長とが同じ帯域になるようにする。そのためセンサー信号発信部６ｃのセンサー素子６ａの発光が、選択的にセンサー信号受信部６ｄのセンサー素子６ａにより検知できる。
【００２８】
本実施の形態では、センサー素子６ａと発光素子７ａとが同じセンサー基板６ｂに配置され、相互が近接する。センサー素子６ａの検知波長と、発光素子７ａの発生する波長帯域とが異ならされることにより、センサー素子６ａと発光素子７ａとの間に遮蔽壁などが必要無く、近接設置ができる。
【００２９】
なおセンサー素子６ａの検知波長と、発光素子７ａの発生する波長帯域との波長がずらされるためには、照明部７の波長帯がずらされる、または手検知部６の波長帯がずらされる方法が考えられる。しかし手検知部６、照明部７はそれぞれ波長特性が決まっている。特に照明部７はＬＥＤ、キセノンランプ、ネオン電灯等光源の種類によって波長特性が異なるため、容易に選定できる。
【００３０】
次に、センサー素子６ａと発光素子７ａとの配置について説明する。図７は、本発明の実施の形態の手乾燥装置のセンサー素子と発光素子との水平配置を示す正面図である。図７に示すように手検知部６の受信部側のセンサー素子６ａと、照明部７の発光素子７ａとがそれぞれ複数用いられ、水平方向の同一線２２上に配置される。
【００３１】
上記構成による手乾燥装置の効果、作用を説明する。図７に示すセンサー信号発信部６ｃまたはセンサー信号受信部６ｄのセンサー素子６ａと、照明部７の発光素子７ａとが水平方向の同一線２２上に配置されることにより、センサー基板６ｂの水平方向に対して垂直方向のサイズが小さくなる。そのため、センサー基板６ｂ取り付け部の水平方向に対して垂直方向のスペースが小さくなり、省スペースかつ手２の検知と手乾燥室３の照明との機能が設けられる。なお赤外線遮断式センサーが用いられた場合図１に示す、相対する内壁面３ａ、３ｂのセンサー信号発信部６ｃ（あるいはセンサー信号受信部６ｄ）のセンサー素子６ａも、互いに向き合わせて設けられる。この対向面側でも同程度の省スペースとなる。
【００３２】
図８は、本発明の実施の形態の手乾燥装置のセンサー素子と発光素子との交互配置を示す正面図である。図８に示すようにセンサー素子６ａと、発光素子７ａとが交互に配置されている。すなわちセンサー信号発信部６ｃまたはセンサー信号受信部６ｄは、複数のセンサー素子６ａを有している。また照明部７は、複数の発光素子７ａを有している。そしてセンサー素子６ａと、発光素子７ａとが交互に配置されている。
【００３３】
図１に示す手乾燥装置は通常、両手の平を並べて広げた状態において手２が手乾燥室３の内部に挿入される。そのため手２が確実に検知されるためには、センサー素子６ａが手挿入口１の近傍に均等に配置される必要がある。また、手乾燥室３内部全体が明るくなるには、照明部７の発光素子７ａが手挿入口１に挿入された手の平と平行、かつ水平方向に均等に配置されると良い。
【００３４】
このような構成の手乾燥装置によれば、手乾燥室３への手２の挿入時に広い範囲が確実にセンサー検知され、且つ手乾燥室３の内部が均一に明るく照らされる。
【産業上の利用可能性】
【００３５】
本発明の手乾燥装置は手の乾燥以外に、ノズルを用いた設備乾燥機器、すなわち短時間で物体を乾燥させる工業用の乾燥用途にも適用できる。
【符号の説明】
【００３６】
１    手挿入口
２    手
３    手乾燥室
３ａ，３ｂ    内壁面
３ｃ    底部
４    高圧送風機
５    ノズル
６    手検知部
６ａ    センサー素子
６ｂ    センサー基板
６ｃ    センサー信号発信部
６ｄ    センサー信号受信部
７    照明部
７ａ    発光素子
７ｂ    照射線
８    窓部
９    壁面
１０    吸込口
１１    フィルター
１２    吸込風路
１３    スペーサー
１４    反射板
２０    外部
２１    高圧空気
２２    水平方向の同一線
【図１】
2013187004.tif 000003
【図２】
2013187004.tif 000004
【図３】
2013187004.tif 000005
【図４】
2013187004.tif 000006
【図５】
2013187004.tif 000007
【図６】
2013187004.tif 000008
【図７】
2013187004.tif 000009
【図８】
2013187004.tif 000010
【図９】
2013187004.tif 000011
【国際調査報告】
2013187004.tif 000012
2013187004.tif 000013
2013187004.tif 000014
2013187004.tif 000015